(57)【特許請求の範囲】
【請求項１】
内部に配線器具を収容すべく全周に渡って設けられ、底面が開口する周壁部と、
該周壁部の前面に一体に設けられ、建物の壁に穿設された透孔周縁に当接される鍔部と、前記鍔部に挿通された螺子に螺着され、該螺子の螺合によって前記周壁部の外周面から突出し、該周壁部に沿って壁裏に螺進、圧接し、該鍔部とで挟持する挟持片とを有し、
該鍔部は、前記配線器具を壁表に臨ませる透孔と前記周壁部内に収容された該配線器具を該透孔から壁表に臨ませるべく保持する保持部とからなる被取付部を備え、
前記周壁部は、底面側から内部に挿入された配線器具を前記被取付部に保持させるべく底面が開口するとともに、前記被取付部に保持された配線器具を保護すべく内部に収容できる長さに形成され、且つ、外面に凹部形成されて内部に前記螺子を収容するとともに前記挟持片を案内する案内溝を備え、
前記鍔部の被取付部の保持部は、前記透孔の縁部に設けられた、前記周壁部の底面の開口から挿入された配線器具の係止突起と係止する係止孔で形成されたことを特徴とする配線器具の被取付部を備えたボックス。
【請求項２】
前記周壁部は、円筒状に形成されたことを特徴とする請求項１に記載の配線器具の被取付部を備えたボックス。
【請求項３】
前記周壁部は、複数の円筒の一部を重ね合わせた形状に形成されたことを特徴とする請求項１に記載の配線器具の被取付部を備えたボックス。
【請求項４】
前記周壁部に、ケーブルを引出すためのケーブル引出孔が設けられたことを特徴とする請求項１乃至請求項３のいずれか１項に記載の配線器具の被取付部を備えたボックス。
【発明の詳細な説明】
【０００１】
【発明の属する技術分野】
本発明は、ベニア、石膏ボード等の隠ぺい壁に取付られ、スイッチ、コンセント等の配線器具を取付けるために使用される配線器具の被取付部を備えたボックスに関するものである。
【０００２】
【従来の技術】
従来のスイッチ、コンセント等の配線器具をベニア、石膏ボード等の隠ぺい壁に取付けるために使用される配線用ボックスとして、例えば、実開平１−１２０７１８号公報に掲載の技術が開示されている。
【０００３】
図８において、壁１４の裏側には配線用ボックス２１がその開口部を壁１４の透孔１４ａを通して表側に臨ませた状態で取付けられ、壁１４の表側にはスイッチ等の配線器具１１を取付けた配線器具取付枠２２が螺子２３によって配線用ボックス２１に取付けられるようになっている。配線器具取付枠２２が取付けられた後は、その表側に図示しない化粧プレートが取付けられる。
【０００４】
このような構成の配線用ボックス２１を使用して配線器具１１を壁１４に取付けるには、予め壁裏に配線用ボックス２１を設置しておき、前記配線用ボックス２１の開口を壁表に臨ませるべく、壁１４に透孔１４ａを穿設する。次いで、前記透孔１４ａから配線器具１１を取着された配線器具取付枠２２を前記配線用ボックス２１に螺子２３を介して固定し、配線器具１１の本体部分を配線用ボックス２１内に収容する。そして、化粧プレートを前記配線器具取付枠２２に取付けて壁１４の透孔１４ａを覆う。
【０００５】
【発明が解決しようとする課題】
しかし、従来の配線用ボックス２１は、予め壁裏に配線用ボックス２１を設置しなければならず、また、配線用ボックス２１の設置後においては、配線用ボックス２１の取付位置を探知し、壁表から壁裏の配線用ボックス２１の開口を臨ませるよう壁１４の最適位置に透孔１４ａを穿設することが困難であり、面倒であった。
【０００６】
また、別途に配線器具取付枠２２を必要とするため、コスト高であるとともに、部品管理に手間を要した。
【０００７】
そこで、本発明は、予め配線用ボックスを設置する必要がなく、簡単に壁表から設置でき、かつ、別途に配線器具取付枠を用意する必要のない配線器具の被取付部を備えたボックスの提供を課題とするものである。
【０００８】
【課題を解決するための手段】
請求項１の発明にかかる配線器具の被取付部を備えたボックスは、内部に配線器具を収容すべく全周に渡って設けられ、底面が開口する周壁部と、該周壁部の前面に一体に設けられ、建物の壁に穿設された透孔周縁に当接される鍔部と、前記鍔部に挿通された螺子に螺着され、該螺子の螺合によって前記周壁部の外周面から突出し、該周壁部に沿って壁裏に螺進、圧接し、該鍔部とで挟持する挟持片とを有し、該鍔部は、前記配線器具を壁表に臨ませる透孔と前記周壁部内に収容された該配線器具を該透孔から壁表に臨ませるべく保持する保持部とからなる被取付部を備え、前記周壁部は、底面側から内部に挿入された配線器具を前記被取付部に保持させるべく底面が開口するとともに、前記被取付部に保持された配線器具を保護すべく内部に収容できる長さに形成され、且つ、外面に凹部形成されて内部に前記螺子を収容するとともに前記挟持片を案内する案内溝を備え、前記鍔部の被取付部の保持部は、前記透孔の縁部に設けられた、前記周壁部の底面の開口から挿入された配線器具の係止突起と係止する係止孔で形成されたことを特徴とするものである。
【０００９】
請求項２の発明にかかる配線器具の被取付部を備えたボックスは、請求項１に記載の周壁部が、円筒状に形成されたものである。
【００１０】
請求項３の発明にかかる配線器具の被取付部を備えたボックスは、請求項１に記載の周壁部が、複数の円筒の一部を重ね合わせた形状に形成されたものである。
【００１２】
請求項４の発明にかかる配線器具の被取付部を備えたボックスは、請求項１乃至請求項３のいずれか１項に記載の周壁部に、ケーブルを引出すためのケーブル引出孔が設けられたものである。
【００１３】
【発明の実施の形態】
〈第一実施例〉
以下、本発明の実施例を図１乃至図３に基づいて説明する。
【００１４】
図において、配線用ボックス１は、配線器具１１を内部に収容するべく、所定長さの円筒状に形成された周壁部２と、その前面に設けられた略四角板状の鍔部３とが一体に形成されたものである。前記周壁部２は、前記鍔部３の反対側である底面側にケーブル１２を引出すためのケーブル引出孔４が設けられているとともに、長さ方向に連通する凹部形成された案内溝５を有しており、その案内溝５の内部には鍔部３の表側から挿通された螺子１３が収容できるようになっている。更に、前記鍔部３の中央部には取付けられた配線器具１１を壁１４の表側に臨ましめるべく四角形状に透孔６が穿設されており、また、その透孔６の左右縁部には配線器具１１の係止突起１１ａを係止して取付けるための係止孔からなる保持部７が設けられている。これらの透孔６と保持部７とは請求項の被取付部を構成する。螺子取付孔８には前記螺子１３が挿通される。そして、前記案内溝５に挿通された螺子１３の先端部には挟持片１５が螺着されており、前記挟持片１５は少なくとも鍔部３と対向する側が鍔部３と平行面をなしている。なお、案内溝５は図３における右側周壁の先端が左側周壁の先端より僅かに底面側に突出しており、螺子１３を螺合したときに挟持片１５がそれに追随して回転するのを前記突出した部分によって阻止し、鍔部３側に螺進するようになっている。
【００１５】
このように形成された配線用ボックス１は、周壁部２が壁１４内に埋込まれ、鍔部３が壁１４の表面側において壁面と当接するものであり、鍔部３と挟持片１５とによって壁１４を挟持し、それによって壁１４の透孔１４ａに設置される構成となっている。そして、配線用ボックス１は合成樹脂の射出成形によって一体に形成することができる。ここで、壁１４の透孔１４ａは円筒状の周壁部２ががたつくことなく挿通される大きさの丸孔に穿設されており、ホルソー等を使用することによって簡単に形成することができる。なお、透孔１４ａは、更に、壁裏のケーブル１２を壁表に引出すために手が挿入できる大きさであることが望ましい。
【００１６】
鍔部３には係止孔９が設けられており、前記係止孔９と係止する係止突起が裏面に設けられた化粧プレート１６が配線用ボックス１の鍔部３の表側に取付けられて壁１４の透孔１４ａを覆うようになっている。
【００１７】
次に、上記のように構成された配線用ボックス１を使用して配線器具１１を取付ける方法について説明する。
【００１８】
まず、壁１４に、配線用ボックス１の周壁部２ががたつくことなく挿通される大きさの透孔１４ａをホルソー等を使用して穿設する。次に、壁裏に配線されたケーブル１２を前記透孔１４ａから壁表に引出し、ケーブル１２の先端を配線器具１１に接続し、更にその配線器具１１の本体部分を配線用ボックス１の保持部７に保持させて周壁部２内に収容する。なお、この操作においては、先に配線器具１１を保持部７に保持させて周壁部２内に収容した後に、ケーブル１２を配線器具１１に接続するようにしてもよい。
【００１９】
このようにして配線器具１１を取付けた後は、予め挟持片１５を周壁部２の底面において左側に倒して周壁部２の外周から外側に突出しない状態即ち透孔１４ａの径内にある状態にしておいてから、配線用ボックス１の周壁部２を透孔１４ａ内に挿入し、螺子１３を回転させる。すると、挟持片１５は螺子１３の螺合に追随して右側に起上がって周壁部２の外周面から突出し、僅かに突出した案内溝５の右側周壁でそれ以上の回動を阻止された状態、即ち、図３に示す状態となった後、螺子１３の螺合に伴って案内溝５の右側周壁で回動を阻止されて鍔部３側に螺進する。これによって、挟持片１５を壁裏に圧接させ、鍔部３と挟持片１５の平面部とで壁１４に挟持固定する。なお、壁１４への固定は挟持片１５を使用した挟持固定とすることなく、直接螺子１３を壁１４に螺着することによって鍔部３を固定するようにしてもよい。但し、壁１４が石膏ボードなどの軟質でもろい材質で形成されている場合には、螺子１３を直接螺着することは安定性に乏しく外れ易いので挟持固定するのが望ましい。
【００２０】
本実施例の配線器具の被取付部を備えたボックスは、上記のように構成されているので、予め配線用ボックス１を壁裏に設置する必要がなく、簡単に壁表から配線用ボックス１を設置することができる。そして、配線器具１１を取付ける際には配線用ボックス１の取付位置を探知する必要もない。また、配線器具１１の被取付部が一体に設けられているので、別途配線器具取付枠を用意することを要しない。即ち、ボックス部分である周壁部２と被取付部の設けられた配線器具取付枠となる鍔部３とを一体に形成できるため、部品全体のコストが低下し、部品管理も楽になる。更に、周壁部２が円筒状に形成されているため、ホルソー等を使用して穿設するだけで周壁部２と対応する透孔１４ａを簡単に形成することができ、配線器具１１の取付けが容易である。そして、透孔１４ａが丸孔に形成されているから、壁表から手を挿入し易く、壁裏のケーブル１２を正面側に引出す作業が楽である。
【００２１】
加えて、周壁部２が形成されているので、配線器具１１がその内部に収容され、これを保護できる。また、配線用ボックス１を壁１４の透孔１４ａに挿入する場合の案内としての機能を発揮し、挿入し易いとともに、透孔１４ａに挿通後は配線用ボックス１がぐらつくことなく、安定した状態に保持できる。
【００２２】
また、周壁部２にはケーブル引出孔４が形成されているので、底面だけでなく、側面からもケーブル１２を引込むことができ、狭い壁厚にも対応することができる。
【００２３】
ところで、上記実施例の配線用ボックス１は、周壁部２の底面側が開口したものを示しているが、図４に示すように、開口面に底板１０を取付けて閉塞したものとすることもできる。この場合には、配線器具１１の保護効果が一層高まる。
【００２４】
また、上記実施例では、配線器具１１を鍔部３の裏面側即ち周壁部２側から挿入し、取付けているが、図５に示すように、鍔部３の正面側から取付けるように形成することもできる。この場合には、配線用ボックス１を壁１４に設置した後に配線器具１１を取付けることもできる。
【００２５】
更に、上記実施例では、周壁部２は配線器具１１を完全に内部に収納した状態に形成されているが、実質的に配線器具１１を保護できれば、配線器具１１が周壁部２より僅かに底面側に突出した状態に形成されていてもよい。
【００２６】
加えて、鍔部３は、壁１４に当接するものであればよく、正面側には化粧プレート１６が覆設されるので、必ずしも透孔１４ａ全体を完全に覆うものでなくてもよい。
【００２７】
〈第二実施例〉
次に、本発明の第二実施例の配線器具の被取付部を備えたボックスを図６及び図７に基づいて説明する。
【００２８】
図において、配線用ボックス１は、第一実施例の周壁部２の２個をその一部を重ね合わせた形状として鍔部３と一体に形成されたものであり、図６に示すように、鍔部３に配線器具１１を壁表側に臨んだ状態で係止させるための透孔６が左右２箇所に形成されている。また、図７に示すように、鍔部３の裏面側に左右並列に形成された周壁部２にはそれぞれ上下２箇所に挟持片１５が設けられている。この挟持片１５は、第一実施例と同様に、正面側から螺子１３を螺合することにより、案内溝５に沿って鍔部３側に螺進するようになっている。
【００２９】
この第二実施例においても、第一実施例と同様に、予め配線用ボックス１を壁裏に設置する必要はなく、配線器具１１を取付ける際に配線用ボックス１の取付位置を探知する必要もない。また、配線器具１１の被取付部が一体に設けられているので、別途配線器具取付枠を用意することも要しない。
【００３０】
また、壁１４への透孔１４ａの穿設は、第一実施例と同様に、ホルソー等を使用することによって簡単に行なうことができる。
【００３１】
なお、この第二実施例においては、周壁部２を左右に２個並設した形態に形成しているが、例えば、周壁部３を上下方向或いは左右方向に３個以上を重ね合わせたり、上下左右に各２個ずつ計４個の周壁部２を重ね合わせた形態とするなど、適宜配置状態を異ならせて３個以上の周壁部２を重ね合わせたものとすることもできる。
【００３２】
ところで、上記各実施例において、配線用ボックス１の周壁２は、円筒状に形成し、或いは、円筒２個の一部を重ね合わせた形状に形成しているが、本発明を実施する場合には、これらの形状に限定されるものではなく、四角筒状など各種の形状とすることを妨げるものではない。
【００３３】
また、本発明は、スイッチ、コンセントの配線器具１１の他、調光器、アースなど各種の配線器具にも同様に適用することができる。
【００３４】
【発明の効果】
以上のように、請求項１の発明の配線器具の被取付部を備えたボックスは、内部に配線器具を収容すべく全周に渡って設けられ、底面が開口する周壁部と、該周壁部の前面に設けられ、建物の壁に穿設された透孔周縁に当接される鍔部と、前記鍔部に挿通された螺子に螺着され、該螺子の螺合によって壁裏に螺進、圧接し、該鍔部とで壁面を挟持する挟持片とを有し、該鍔部が前記配線器具を壁表に臨ませる透孔と前記周壁部内に収容された該配線器具を該透孔から壁表に臨ませるべく保持する保持部とからなる被取付部を備え、前記鍔部の被取付部の保持部は、前記透孔の縁部に設けられた、前記周壁部の底面の開口から挿入された配線器具の係止突起と係止する係止孔で形成されたものである。したがって、予め配線用ボックスを壁裏に設置する必要がなく、配線器具を取付ける際に配線用ボックスの取付位置を探知する必要もなく、簡単に壁表から取付けることができる。また、配線器具の被取付部が一体に設けられているので、別途配線器具取付枠を用意する必要がなく、部品コストを低減でき、部品管理も楽になる。そして、内部に配線器具を収容する周壁部が形成されていることにより、配線器具をその内部に収容し、保護できるとともに、壁の透孔への挿入を案内して挿入し易くなり、また、透孔に挿通後は配線用ボックスを安定した状態に保持できる。更に、鍔部とで壁面を挟持する挟持片が設けられているので、ベニアや石膏ボード等の軟質壁面にも安定した状態で、かつ、壁面をきず付けることなく、ボックスを取付けることができる。
【００３５】
請求項２の発明の配線器具の被取付部を備えたボックスは、請求項１に記載の周壁部が円筒状に形成されたものであり、また、請求項３の発明の配線器具の被取付部を備えたボックスは、請求項１に記載の周壁部が複数の円筒の一部を重ね合わせた形状に形成されたものである。したがって、特に、ホルソー等を使用して穿設するだけで周壁部と対応する透孔を建物の壁に簡単に形成することができ、配線器具の壁への取付作業を一層簡単に行なうことができる。
【００３７】
請求項４の発明にかかる配線器具の被取付部を備えたボックスは、請求項１乃至請求項３のいずれか１項に記載の周壁部に、ケーブルを引出すためのケーブル引出孔が設けられたものである。したがって、底面だけでなく、側面からもケーブルを引込むことができ、狭い壁厚にも対応することができる。
【図面の簡単な説明】
【図１】  本発明の第一実施例の配線器具の被取付部を備えたボックスを示す正面図である。
【図２】  図１の配線用ボックスを示す側面図である。
【図３】  図１の配線用ボックスの壁への取付けを示す斜視図である。
【図４】  図１の別の配線用ボックスを示す側面図である。
【図５】  図１の更に別の配線用ボックスを示す斜視図である。
【図６】  本発明の第二実施例の配線器具の被取付部を備えたボックスを示す正面図である。
【図７】  図６の配線用ボックスを示す裏面図である。
【図８】  従来の配線用ボックス及び配線器具取付枠を示す斜視図である。
【符号の説明】
１      配線用ボックス
２      周壁部
３      鍔部
６      透孔
７      保持部
１１    配線器具
１３    螺子
１４    壁
１４ａ  透孔
１５    挟持片
【図１】
0003709469.tif 000002
【図２】
0003709469.tif 000003
【図３】
0003709469.tif 000004
【図４】
0003709469.tif 000005
【図５】
0003709469.tif 000006
【図６】
0003709469.tif 000007
【図７】
0003709469.tif 000008
【図８】
0003709469.tif 000009